(57)【要約】【課題】部品の汎用性の高い通風装置を得ること。【解決手段】パネルユニット５は、パイプガイドに挿入される筒状のユニットボックス３９と、パイプガイドの室内側開口を覆うパネル７と、ユニットボックス３９の軸心に配置され、パネル７を支持するとともに、支持したパネル７を貫通口に沿って進退させて、パイプガイドの室内側開口を開閉する開閉機構８ａと、バネによって付勢され、室内外の圧力差に応じてパイプガイドの室内側開口を開閉するシャッター１６を備え、室内が負圧環境となった際にシャッター１６を開いて室外の空気を貫通口を通じて室内に流入させる差圧ユニット１３とを有し、差圧ユニット１３には、中央部に開閉機構８ａを貫通させる開閉機構貫通穴１８ａが形成されており、開閉機構８ａが開閉機構貫通穴１８ａを貫通した状態でユニットボックス３９とパネル７との間に差圧ユニット１３が設置される。【選択図】図１７
2015183869.tif 000002
【特許請求の範囲】
【請求項１】
室内外を連通する貫通口に室内側から設置されるパイプガイドと、該パイプガイドの室内側に装着されるパネルユニットとを有する通風装置であって、
前記パネルユニットは、
前記パイプガイドに挿入される筒状の枠体と、
前記パイプガイドの室内側開口を覆うパネルと、
前記枠体の軸心に配置され、前記パネルを支持するとともに、支持した前記パネルを前記貫通口に沿って進退させて、前記パイプガイドの室内側開口を開閉する開閉機構と、
バネによって付勢され、室内外の圧力差に応じて前記パイプガイドの室内側開口を開閉するシャッターを備え、室内が負圧環境となった際に前記シャッターを開いて室外の空気を前記貫通口を通じて室内に流入させる差圧ユニットとを有し、
前記差圧ユニットには、中央部に前記開閉機構を貫通させる貫通穴が形成されており、前記開閉機構が前記貫通穴を貫通した状態で前記枠体と前記パネルとの間に前記差圧ユニットが設置されることを特徴とする通風装置。
【請求項２】
前記差圧ユニットは、前記パイプガイドに挿入されて保持されていることを特徴とする請求項１に記載の通風装置。
【請求項３】
前記差圧ユニットは、シャッターを複数有することを特徴とする請求項１又は２に記載の通風装置。
【請求項４】
前記シャッターを二つ有し、該二つのシャッターの各々が前記パイプガイドの室内側開口を覆う面積が同じであることを特徴とする請求項３に記載の通風装置。
【請求項５】
前記二つのシャッターのいずれか一方を、前記パイプガイドの室内側開口を閉じた状態に維持する閉止手段を有することを特徴とする請求項１から４のいずれか１項に記載の通風装置。
【請求項６】
前記閉止手段は、前記二つのシャッターの間に、前記貫通口の断面方向に回動可能に設置された風向調整レバーであることを特徴とする請求項５に記載の通風装置。
【発明の詳細な説明】
【技術分野】
【０００１】
本発明は、室内外を連通する貫通口に室内側から挿入して装着し、室内を自然換気する通風装置に関する。
【背景技術】
【０００２】
近年の住宅は高気密高断熱化が進み、換気不足による室内の二酸化炭素が高くなることや、新築住宅における壁材などに含まれる揮発性有機化合物（Volatile  Organic  Compounds，ＶＯＣ）の発生が問題になることがあった。こうした問題の対策として、日本国では、平成１５年７月１日施行された建築基準法の改正に基づき、新築及びリフォームした全ての住宅に換気設備の設置が義務付けられ、室内外を連通する貫通口が設けられるようになり、この貫通口に通風装置が設けられることとなった。
【０００３】
このような貫通口に取り付けられる通風装置は、２４時間換気用の通風装置が多く用いられている。しかし、高気密化が進んだことで、排気送風機等の運転により室内が負圧環境になり玄関ドアや窓などが開けにくくなるといった現象がおきるようになったため、その対策として、排気送風機等の運転により発生する室内外の圧力差を利用して通風路を開閉して外気を室内に供給する差圧作動式の通風装置が設置されるようになった。
【０００４】
差圧作動式の通風装置は、特許文献１，２に開示されている。
【先行技術文献】
【特許文献】
【０００５】
【特許文献１】特開平１０−２０５８７０号公報
【特許文献２】特開２０１１−８９７１２号公報
【発明の概要】
【発明が解決しようとする課題】
【０００６】
従来の差圧作動式の通風装置は、通気風路の開口調整用のシャッター機構部以外にパネルなども差圧作動式の通風装置専用のものが必要であり、中には通風装置の全部品が差圧作動式の通風装置専用となるものもあり、部品の汎用性が乏しかった。
【０００７】
本発明は、上記に鑑みてなされたものであって、差圧作動式であって部品の汎用性の高い通風装置を得ることを目的とする。
【課題を解決するための手段】
【０００８】
上述した課題を解決し、目的を達成するために、本発明は、室内外を連通する貫通口に室内側から設置されるパイプガイドと、パイプガイドの室内側に装着されるパネルユニットとを有する通風装置であって、パネルユニットは、パイプガイドに挿入される筒状の枠体と、パイプガイドの室内側開口を覆うパネルと、枠体の軸心に配置され、パネルを支持するとともに、支持したパネルを貫通口に沿って進退させて、パイプガイドの室内側開口を開閉する開閉機構と、バネによって付勢され、室内外の圧力差に応じてパイプガイドの室内側開口を開閉するシャッターを備え、室内が負圧環境となった際にシャッターを開いて室外の空気を貫通口を通じて室内に流入させる差圧ユニットとを有し、差圧ユニットには、中央部に開閉機構を貫通させる貫通穴が形成されており、開閉機構が貫通穴を貫通した状態で枠体とパネルとの間に差圧ユニットが設置されることを特徴とする。
【発明の効果】
【０００９】
本発明によれば、部品の汎用性が高く、部品の共通化によりコストを低減できるという効果を奏する。
【図面の簡単な説明】
【００１０】
【図１】図１は、本発明にかかる通風装置の実施の形態の外観を示す斜視図である。
【図２】図２は、実施の形態に係る通風装置の横断面図である。
【図３】図３は、通風装置の分解斜視図である。
【図４】図４は、パネルユニットの分解斜視図である。
【図５】図５は、開閉装置の分解斜視図である。
【図６】図６は、第１スライダの背面図である。
【図７】図７は、第１スライダとパネルとの係合部分の構造を示す図である。
【図８】図８は、第２スライダの斜視図である。
【図９】図９は、第１スライダと第２スライダとを組み合わせた状態を示す斜視図である。
【図１０】図１０は、パネル全閉用係止部への案内路が係止部と平行な第１スライダの背面図である。
【図１１】図１１は、一般的な止水構造例を示す図である。
【図１２】図１２は、実施の形態に係る通風装置の止水構造を示す図である。
【図１３】図１３は、風向調整板取付時の通風装置の分解斜視図である。
【図１４】図１４は、風向調整板取付部の詳細図である。
【図１５】図１５は、風向調整板が設置されていない状態でパネルユニットから室内へ流れる気流方向を模式的に示す図である。
【図１６】図１６は、ユニットボックスの下部を覆うように風向調整板を設置した状態でパネルユニットから室内へ流れる気流方向を模式的に示す図である。
【図１７】図１７は、差圧ユニット付きの場合のパネルユニットの分解斜視図である。
【図１８】図１８は、差圧ユニットの分解斜視図である。
【図１９】図１９は、風向調整機能付きの通風装置の内部構造斜視図である。
【図２０】図２０は、風向調整レバーをブリッジ上に配置した状態においてパネルユニットから室内へ流れる気流方向を模式的に示す図である。
【図２１】図２１は、風向調整レバーを左側に動かした状態においてパネルユニットから室内へ流れる気流方向を模式的に示す図である。
【発明を実施するための形態】
【００１１】
以下に、本発明にかかる通風装置の実施の形態を図面に基づいて詳細に説明する。なお、この実施の形態によりこの発明が限定されるものではない。
【００１２】
実施の形態．
図１は、本発明にかかる通風装置の実施の形態の外観を示す斜視図である。図２は、実施の形態に係る通風装置の横断面図である。実施の形態に係る通風装置１は、建物の換気用の貫通口に設置されるもので、室内外を連通するダクトやパイプに室内側から挿入して装着される。
【００１３】
図３は、通風装置の分解斜視図である。通風装置１は、ダクトと連通し室内側の端部を覆うように室内の壁面に沿って取り付けられるパイプガイド２と、風洞内に設けられ中心線方向に伸縮するパネルユニット５とによって構成されている。パネルユニット５はパイプガイド２との係合突起６を備えている。パイプガイド２に当接させたパネルユニット５を回転させることでパイプガイド２の係合凹部６ａに係合突起６が係合し、パネルユニット５はパイプガイド２に着脱可能に取り付けられる。
【００１４】
図４は、パネルユニットの分解斜視図である。パネルユニット５は、パネル７と、開閉装置８と、フィルタ９と、フィルタ抑え１０とによって構成されている。開閉装置８は、中心線方向に伸縮する開閉機構８ａによりパネル７の位置を調整する。フィルタ抑え１０は、パネルユニット５からのフィルタ９の脱落を防止するように開閉装置８、具体的には後述するユニットボックス３９に対する係合手段が設けられている。
【００１５】
図５は、開閉装置の分解斜視図である。開閉装置８は、第１スライダ２０、第２スライダ３３、コイルスプリング３８、ユニットボックス３９、及びカバー４２によって構成されており、第１スライダ２０、第２スライダ３３、コイルスプリング３８及びカバー４２が開閉機構８ａを構成している。開閉機構８ａは、枠体としてのユニットボックス３９に支持されている。第１スライダ２０及び第２スライダ３３は、樹脂製である。コイルスプリング３８は、第１スライダ２０と第２スライダ３３とを離反する方向に付勢する。ユニットボックス３９は、機構支持部３９ａを軸心上に備えた角筒状であり、パネルユニット５をパイプガイド２に取り付けた際に、パイプガイド２の風洞の中心線に沿って配置される。機構支持部３９ａの屋外側の端部には、ツメ部４１が形成されている。カバー４２に形成されている穴部４３にツメ部４１を係合させることにより、カバー４２は機構支持部３９ａと一体化して樹脂製のケース８ｂを構成する。ケース８ｂは、第１スライダ２０及び第２スライダ３３を収納するとともに第２スライダ３３のスライドを規制する。
【００１６】
図６は、第１スライダの背面図である。第１スライダ２０の先端には、筒状のパネル係止部２１が形成されている。また、第１スライダ２０の先端付近には、風向調整板取付用ツメ２３と風向調整板固定用壁２４とが設けられている。これらについては後段で詳細に説明する。また、第１スライダ２０には、凹状でループ状の伸縮路２５と伸縮時のがたつきを防止するためのガイド溝２２とが設けられている。伸縮路２５は、パネル全開用係止部８１及びパネル全閉用係止部３２が、伸張路２７と収縮路２８とで接続されて構成されており、中心軸方向に長いループ状になっている。収縮路２８は、最大収縮段２８ａに向かって幅方向外側に向かって曲がって形成されており、収縮路２８の最大収縮段２８ａは、パネル全閉用係止部３２よりもガイド溝２２に近い位置、すなわち、後述するようにパネル全閉用係止部３２にフック３６が配置されている状態よりも、開閉機構８ａを収縮させた時にフック３６が配置される位置に設けられている。
【００１７】
第１スライダ２０の伸縮路２５には、後述する第２スライダ３３の係止部３５のフック３６が係脱可能に掛け止まるラック上の複数の歯２６が設けられている。歯２６のパネル全開用係止部８１に近い側面は斜面に構成され、パネル全閉用係止部３２に近い面は後述する第２スライダ３３の係止部３５のフック３６の端面が当接し掛け止まるように構成されている。伸張路２７と収縮路２８とを分ける仕切壁２９には、伸張路２７に第２スライダ３３のフック３６を誘導する斜面を有する解除手段３１が設けられている。
【００１８】
図７は、第１スライダとパネルとの係合部分の構造を示す図である。第１スライダ２０のパネル係止部２１は、筒状に形成されており、筒内の上面には被係合部２１ａが形成されている。一方、パネル７の裏面には、筒状の係合筒部７ａが設けられており、係合筒部７ａの上面端部にはツメ７ｂが形成されている。係合筒部７ａをパネル係止部２１に挿入すると、ツメ７ｂが被係合部２１ａに係合してパネル７が第１スライダ２０に固定される。
【００１９】
図８は、第２スライダの斜視図である。第２スライダ３３は、第１スライダ２０に一致する寸法の平面長方形状の盤状に形成され、その先端部背面には、第１スライダ２０のガイド溝２２内を摺動するストッパ突起３４が形成されている。第２スライダ３３は、ストッパ突起３４の後方に設けられた窓の中央に第１スライダ２０の伸縮路２５を摺動し、第１スライダ２０を係止させるためのフック３６を備えた弾性変形可能な腕状の係止部３５が形成されている。また、第２スライダ３３の後端部背面には、ケース８ｂに係止するための弾性変形可能な係止突起３７が設けられている。
【００２０】
図９は、第１スライダと第２スライダとを組み合わせた状態を示す斜視図である。第１スライダ２０と第２スライダ３３とは、所定の範囲をスライドできるように組み合わせられ、第１スライダ２０の最大伸張状態では、ガイド溝２２の後端に第２スライダ３３のストッパ突起３４が当接することで、コイルスプリング３８の伸張方向へのバネ力が受けられ、係止部３５全体が自由状態に置かれる。最大収縮状態においては、第１スライダ２０の伸張路２７と収縮路２８のパネル全閉用係止部３２の面にフック３６が当接することでコイルスプリング３８の伸張方向へのバネ力が受けられ、係止部３５が弾性変形しない状態で第１スライダ２０を保持する。
【００２１】
上述のように、第１スライダ２０の収縮路２８は、最大収縮段２８ａに向かって幅方向外側に向かって曲がって形成されており、収縮路２８の最大収縮段２８ａは、パネル全閉用係止部３２よりもガイド溝２２に近い位置に設けられている。よって、最大収縮段２８ａにフック３６が配置されるまで第１スライダ２０及び第２スライダ３３を押し縮め、係止段をなす歯２６を乗り越えた後に圧縮力を緩めると、第２スライダ３３のフック３６が案内路３０を通って最大収縮段２８ａからパネル全閉用係止部３２へ到達する。
【００２２】
図１０は、パネル全閉用係止部への案内路が係止部と平行な第１スライダの背面図である。パネル全閉用係止部への案内路が係止部と平行な伸縮路４４の場合、第１スライダを最大位置まで早く押し込むと、第２スライダのフックが第１スライダの収縮路４６のパネル全閉用係止部４７を通過して伸張路４５まで進んでしまうため、パネル７を全閉状態で停止させることができない。
【００２３】
これに対し、本実施の形態では、図６に示したように、収縮路２８の最大収縮段２８ａは、パネル全閉用係止部３２よりも収縮を必要とする位置に設けられているため、第２スライダ３３のフック３６をパネル全閉用係止部３２で確実に停止させて、パネル７を全閉状態で停止させることが可能である。
【００２４】
開閉装置８は、第１スライダ２０、第２スライダ３３及びコイルスプリング３８を、ユニットボックス３９とカバー４２とによって構成されるケース８ｂに挿入するだけで開閉装置８を組み立てることができる。第１スライダ２０の最大伸張状態と最大収縮状態においては、コイルスプリング３８のバネ力が係止部３５の腕方向と一致し、弾性撓みを起こさない状態であるので、バネ力が係止部３５の撓み癖や疲労や破損の原因になることが少なく、パネル７の開閉機構を長期にわたり維持できる。
【００２５】
通風装置１には、屋外側から室内側への雨水等の浸入を防ぐため、止水構造を設ける必要がある。図１１は、一般的な止水構造例を示す図である。図１２は、実施の形態に係る通風装置の止水構造を示す図である。一般的な通風装置の止水構造では、パッキン３を用いてパイプガイド９２とパネルユニット９５との隙間を封止している。ただし、パッキン３を用いると、止水のために部品点数が増加するため、本実施の形態では、パッキン３の廃止による部品点数の削減を目的とし、部品形状による止水構造を設けている。
【００２６】
通風装置１の止水構造は、パイプガイド２とパネルユニット５のユニットボックス３９との間に構成され、パイプガイド２のダクト挿入側内径部にリング状の止水用凸部４を設け、ユニットボックス３９の外周端部には段差４０を設けている。ユニットボックス３９の段差４０は、パイプガイド２の止水用凸部４の内径と同一の大きさとしている。
【００２７】
パイプガイド２のダクト挿入側内径部に止水用凸部４を設けることで、ダクト内の雨水等を塞き止め、パイプガイド２とユニットボックス３９との間の隙間への雨水等の浸入に対しては、ユニットボックス３９の段差４０がパイプガイド２の止水用凸部４へ面接触して雨水等の浸入経路を無くすことによって止水を図っている。通常は、室内外を連通するダクトには室内側から屋外側に向かって下り勾配を付けるため、塞き止められた雨水等は留まり続けることなく屋外側へ排出される。
【００２８】
また、通風装置１の設置位置が袖壁が近い場合など、通風装置１の設置環境によってはパネルユニット５に通風装置１から室内へ流れる気流方向を調整する必要がある場合を想定し、通風装置１は風向調整板１１を取付可能な構成となっている。
【００２９】
一般的な通風装置の風向調整板は、パネルに取り付けられており、風向調整板無し用のパネルと他の部品との間に風向調整板を挟み込んだものや、風向調整板を取り付けるための係止部が付いた別部品を取り付けたパネルに風向調整板を取り付けたものなどがあるが、風向調整板無し用と風向調整板付用との２種類の専用パネルが必要となり、風向調整機能を付与しようとする場合、通風装置全体又はパネルを専用のものに交換する必要があり、汎用性のないものであった。
【００３０】
図１３は、風向調整板取付時の通風装置の分解斜視図である。図１４は、風向調整板取付部の詳細図である。上述のように、本実施の形態では、開閉機構８ａの第１スライダ２０の先端には、風向調整板取付用ツメ２３と風向調整板固定用壁２４とが設けられている。このため、風向調整板１１を風向調整板取付用ツメ２３と係合させることで、風向調整板固定用壁２４との間に風向調整板１１が固定されるため、風向調整板１１をパネルユニット５に取り付ける場合に風向調整板１１以外の追加部品は必要とならない。風向調整板１１を設けることで、パネルユニット５から室内へ流れる気流方向を調整することが可能となる。図１５は、風向調整板が設置されていない状態でパネルユニットから室内へ流れる気流方向を模式的に示す図である。図１６は、ユニットボックスの下部を覆うように風向調整板を設置した状態でパネルユニットから室内へ流れる気流方向を模式的に示す図である。風向調整板１１が設置されていない状態では、パネルユニット５からは上下左右の全方向に気流が流れる。一方、ユニットボックス３９の下部を覆うように風向調整板１１を設置した場合には、パネルユニット５から下方向には気流が流れず左右及び上方向に気流が流れる。
【００３１】
また、風向調整板１１には、四つの固定用穴１２が設けられており、風向調整板１１を風向調整板取付用ツメ２３から取り外して方向を変更して取り付けることで、設置後もパネルユニット５から室内へ流れる気流方向を調整できる。
【００３２】
図１７は、差圧ユニット付きの場合のパネルユニットの分解斜視図である。排気送風機の運転による室内の負圧環境を抑制し、常時換気時では冷風侵入を防ぐことを目的とした通風口に通風装置を設置する場合は、常時換気時は開口面積を小さく保って冷風侵入を防ぎ、室内が一定圧力以上の負圧環境となった場合に開口面積を拡大する差圧ユニット１３を追加してパネルユニット５を構成する。図１８は、差圧ユニットの分解斜視図である。差圧ユニット１３は、差圧ユニット１３の各部品を取り付けるリング１４と、給気通路の開口を調整するシャッター１６と、室内が一定圧力以上の負圧環境とならないと作動しないようにシャッター１６が動く力を調整するスプリング１７とによって構成されている。シャッター１６はリング１４の中央に設けられたブリッジ１８に軸支されており、室内が一定圧力以上の負圧環境となると、スプリング１７の弾性力に逆らってシャッター１６が室内側に回動して開口面積を増加させる。なお、ここではシャッター１６を二枚有する構成を例とするが、左右のシャッター１６の各々がパイプガイド２の室内側開口を覆う面積は同じである。
【００３３】
ブリッジ１８のほぼ中央には、開閉機構８ａ、具体的には第１スライダ２０が貫通する開閉機構貫通穴１８ａが形成されている。
【００３４】
差圧ユニット１３のリング１４には、差圧ユニット１３を搭載していない製品との部品共通化を図り、貫通口に設置された状態で差圧ユニット１３部分に不具合が発生した場合でも、差圧ユニット１３のみを交換することで不具合への対応が可能となるように、ユニットボックス３９へ着脱可能な形状の固定機構１５を設けている。また、ユニットボックス３９と差圧ユニット１３とを簡単に取付できる構造とすることで、組立性の向上を図っている。
【００３５】
排気送風機の運転による室内の負圧環境を抑制し、常時換気時では冷風侵入を防ぐことを目的とした通風口に設置する通風装置において、設置位置が袖壁に近いなど、通風装置１の設置環境によっては、通風装置１から室内へ流れる気流方向を調整する必要があるため、差圧ユニット１３に風向調整レバー１９を設ける。図１９は、風向調整機能付きの通風装置の内部構造斜視図であり、パネルユニット５からパネル７を取り外した状態を示している。差圧ユニット１３は、第１スライダ２０が開閉機構貫通穴１８ａを貫通する状態でパイプガイド２に設置される。
【００３６】
差圧ユニット１３へ組み込んだ風向調整レバー１９は、風向調整が必要ない場合は差圧ユニット１３のリング１４の中央のブリッジ１８と重なる位置を風向調節レバー１９の位置とし、気流を制御したい場合は制御したい方向へ風向調整レバー１９を動かすことで、差圧ユニット１３のシャッター１６の開閉動作を制御する。図２０は、風向調整レバーをブリッジ上に配置した状態においてパネルユニットから室内へ流れる気流方向を模式的に示す図である。図２１は、風向調整レバーを左側に動かした状態においてパネルユニットから室内へ流れる気流方向を模式的に示す図である。風向調整レバー１９をブリッジ１８と重なるように配置した状態では、パネルユニット５からは上下左右の全方向に気流が流れる。一方、風向調整レバー１９を左側に動かした状態においては、風向調整レバー１９が左側のシャッター１６の回動を妨げるため、パネルユニット５からは左右方向の中央よりも右側のみに気流が流れる。
【００３７】
風向調整レバー１９を設けることで、排気送風機の運転による室内の負圧環境を抑制し、常時換気時では冷風侵入を防ぐことを目的とした通風口に設置する通風装置でも室内へ流れる気流方向の調整が可能となり、設置後も通風装置から室内へ流れる気流方向の変更をすることが可能となる。
【００３８】
通風装置は、設置位置によっては、通風装置を通じて室内へ流入する外気に混入している粉塵などにより、通風装置の室内側開口面周辺の壁面などが汚れるという問題が生じる場合があるが、本実施の形態の通風装置１は、差圧ユニット１３に風向調整レバー１９を設け、左右いずれかのシャッター１６の開閉を抑制できるようにしているため、汚れが問題となる壁面側にパネルユニット５から気流が向かわないようにし、その壁面の汚れを防止できる。
【産業上の利用可能性】
【００３９】
以上のように、本発明にかかる通風装置は、差圧作動式とそれ以外のものとで部品の汎用性が高く、部品の共通化を図れる点で有用である。
【符号の説明】
【００４０】
１  通風装置、２，９２  パイプガイド、３  パッキン、４  止水用凸部、５，９５  パネルユニット、６  係合突起、６ａ  係合凹部、７  パネル、７ａ  係合筒部、７ｂ  ツメ、８  開閉装置、８ａ  開閉機構、８ｂ  ケース、９  フィルタ、１０  フィルタ抑え、１１  風向調整板、１２  固定用穴、１３  差圧ユニット、１４  リング、１５  固定機構、１６  シャッター、１７  スプリング、１８  ブリッジ、１８ａ  開閉機構貫通穴、１９  風向調整レバー、２０  第１スライダ、２１  パネル係止部、２１ａ  被係合部、２２  ガイド溝、２３  風向調整板取付用ツメ、２４  風向調整板固定用壁、２５，４４  伸縮路、２６  歯、２７，４５  伸張路、２８，４６  収縮路、２８ａ  最大収縮段、２９  仕切壁、３０  案内路、３１  解除手段、３２，４７  パネル全閉用係止部、３３  第２スライダ、３４  ストッパ突起、３５  係止部、３６  フック、３７  係止突起、３８  コイルスプリング、３９  ユニットボックス、３９ａ  機構支持部、４０  段差、４１  ツメ部、４２  カバー、４３  穴部、８１  パネル全開用係止部。
【図１】
2015183869.tif 000003
【図２】
2015183869.tif 000004
【図３】
2015183869.tif 000005
【図４】
2015183869.tif 000006
【図５】
2015183869.tif 000007
【図６】
2015183869.tif 000008
【図７】
2015183869.tif 000009
【図８】
2015183869.tif 000010
【図９】
2015183869.tif 000011
【図１０】
2015183869.tif 000012
【図１１】
2015183869.tif 000013
【図１２】
2015183869.tif 000014
【図１３】
2015183869.tif 000015
【図１４】
2015183869.tif 000016
【図１５】
2015183869.tif 000017
【図１６】
2015183869.tif 000018
【図１７】
2015183869.tif 000019
【図１８】
2015183869.tif 000020
【図１９】
2015183869.tif 000021
【図２０】
2015183869.tif 000022
【図２１】
2015183869.tif 000023